(57)【要約】      （修正有）【課題】除雪と荷物の運搬は別々の器具を使用しなければならず，大変不便であったが，両方に使用できる車輪切り替え式除雪器具兼運搬具を提供する。【解決手段】先端部に金属製の先端２を設け，左右側面に車輪９を設置し，後部の底には後部脚部６を設置した。荷物の運搬をする時は，後部脚部６を下にスタンド状態にして，車輪９も下部に下ろした状態にして行う。後部脚部６を後方から足で下に踏んで，地面にスタンド状態にすると，車輪９と後部脚部６は下方に下りて，地面に平行になるため、押手３から手を放しても，荷物が倒れない。又，荷物を降ろした後は，後部脚部６が不必要になるので，切り替えペダル１０を足で押して，後部脚部用ストッパーを外して，後部脚部６を上に移動させる。【選択図】図１
2015218487.tif 000002
【特許請求の範囲】
【請求項１】
合成樹脂の素材で車輪切り替え式除雪器具兼運搬具本体を（１）として，先端部に金属製の先端（２）を設け，更に左右側面に車輪（９）を設置し，後部の底には金属製後部脚部（６）を設置し，荷物の運搬をする時は金属製の後部脚部（６）を下にスタンド状態にして，車輪（９）も下部に下ろした状態にして行い，金属製の後部脚部（６）を後方から足で下に踏んで，地面にスタンド状態にすると，車輪（９）と金属製の後部脚部（６）は下方に下がり，地面に平行になり，又荷物を降ろした後は，車輪使用時の金属製の後部脚部（６）が不必要になるので，切り替えペダル（１０）を足で押して，後部脚部用ストッパー（６−３）を外して，後部脚部（６）を上に移動させ，金属製の後部脚部（６）と車輪（９）とは，伸縮調整が出来る連結棒（６−４）で，連結されているため，金属製の後部脚部（６）が上方に移動すると車輪（９）も上方に傾く構造であり，又大きな特徴として，折りたたみ用シャフト（７）を足で踏んで，金属製折り畳み式押手（３）を根元から前に倒して折りたたむ事が出来る構造で，金属製の後部脚部（６）が上に移動している状態で，車輪（９）も上に傾いているため，除雪が出来る状態であり，荷物の運搬と除雪と双方に使用できる事を特徴とする，車輪切り替え式除雪器具兼運搬具。
【発明の詳細な説明】
【技術分野】
【０００１】
「第１５項」
本発明は，冬期間の積雪のある場所で、除雪に使用したり，車輪に切り替えて荷物の運搬にも使用する事が出来る車輪切り替え式除雪器具兼運搬具に関する。
【背景技術】
【０００２】
従来，積雪量の多い地方では除雪に除雪器具を使用して，荷物の運搬は台車等を使用して別々に行って来た。特許文献１ 実登３１７１０９４号公報（手押し除雪具兼運搬具），特許文献２ 実登３１７１０９５号公報（手押し除雪具兼運搬具），特許文献３  実開平０６−０２６５５０号公報（ソリを有した運搬具の構造）の記載がある。
【先行技術文献】
【特許文献】
【０００３】
【特許文献１】実登３１７１０９４号公報
【特許文献２】実登３１７１０９５号公報
【特許文献３】実開平０６−０２６５５０号公報
【発明の概要】
【発明が解決しようとする課題】
【０００４】
降った雪を取り除いて，人の通行に支障がないようにするためには，ママさんダンプ（登録商標）は除雪用器具として雪の降る地方では欠かせないものである。ママさんダンプ（登録商標）で雪のみでなく荷物を運ぶことにも利用することを考えた。
しかし，雪道にトラックを止めて荷物を降ろして橇で運んでも，ビルの前の歩道では，ロードヒーティングで雪が融けてアスファルトやコンクリートが露出している箇所が多くある。最初から荷物を台車に積んで運んでも，雪の中では車輪が回転せず荷物の運搬は出来ないのが実情であり大きな課題である。
そこでママさんダンプ（登録商標）に車輪を付けて，切り替えをして除雪と荷物の運搬と両方に使えるようにする事が重要と考える。
本発明は，この問題を解決するために発明したものである。
【０００５】
大きな特徴として，折りたたみ用シャフト（７）を足で踏んで，金属製折り畳み式押手（３）を根元から前に倒して折りたたむ事が出来る構造である。
又，金属製の後部脚部（６）が上に移動している状態で，車輪（９）も上に傾いている状態のため，除雪が出来る状態である。
【課題を解決するための手段】
【０００６】
課題を解決するために本発明は，以下の構成とした。
合成樹脂の素材で車輪切り替え式除雪器具兼運搬具本体を（１）とする。
先端部に金属製の先端（２）を設け，更に左右側面に車輪（９）を設置し，後部の底には金属製後部脚部（６）を設置した。荷物の運搬をする時は，金属製の後部脚部（６）を下にスタンド状態にして，車輪（９）も下部に下ろした状態にして行う。
又，金属製折り畳み式押手（３）から手を放しても，車輪（９）と，金属製の後部脚部（６）と共に地面に平行にして荷物が倒れない構造にした。
そのため，金属製の後部脚部（６）を後方から足で下に踏んで，地面にスタンド状態にすると，車輪（９）と金属製の後部脚部（６）は下方に下りて，地面に平行になる。又，荷物を降ろした後は，車輪使用時の金属製の後部脚部（６）が不必要になるので，切り替えペダル（１０）を足で押して，後部脚部用ストッパー（６−３）を外して，後部脚部（６）を上に移動させる。
金属製の後部脚部（６）と車輪（９）とは，伸縮調整が出来る連結棒（６−４）で，連結されているため，金属製の後部脚部（６）が上方に移動すると車輪（９）も上方に傾く構造である。
【発明の効果】
【０００７】
イ．除雪と荷物の運搬両方に使用できる。
ロ．徐雪や運搬が終了した時は，押手を根元から畳めるので狭い所に保管する場合でも邪魔にならない。
ハ．小さなトラック・ライトバンに積んでおくと除雪も荷物の運搬も出来るので大変便利である。
ニ．寒さと積雪と戦いながら生きて行く寒冷地の人々の味方になれる発明である。
【図面の簡単な説明】
【０００８】
【図１】押手を起こして，後部脚部を地面に設置して安定させた状態の右側面図
【図２】押手を畳んだ状態の平面図
【図３】畳んだ押手を起こした状態の正面図
【図４】押手と後部脚部を畳んだ状態の右側面図
【図５】押手の下部拡大説明図
【図６】切り替えペダルの拡大説明図
【図７】後部脚部用ストッパーの説明図
【発明を実施するための形態】
【０００９】
除雪の大変さは，今まで降った雪が圧縮されて硬くなっている上に，一夜にして４０ｃｍ〜５０ｃｍの雪が積もる事は地域に依っても異なるが，しかし，冬期には珍しくない出来事である。
そんな大雪の中を，車で荷物を運搬してきても自動車も立ち往生，台車を持ってきても車輪が回転せず完全に立ち往生となる。
その新雪を除去する事，圧縮された雪を合せて除去しなければならず，しかし，一旦車輪切り替え式除雪器具兼運搬具で，荷物を運搬して，終わったら直ぐ除雪にかかれる事は，大変便利であり，雪と寒さの厳しい地方ではこの両方を同じ器具で同時に出来る事は，この上ない幸せな事である。
そんな事に使用するために，車輪切り替え式除雪器具兼運搬具を発明した。
合成樹脂の車輪切り替え式除雪器具兼運搬具本体を（１）として，左右側面に車輪（９）を設置し，後部底部には金属製の後部脚部（６）を設け，荷物を運搬時に金属製折り畳み式押手（３）を放しても倒れないようにするために，車輪（９）と共に地面に平行にして荷物を倒れないようにした。
又，大きな特徴として，折りたたみ用シャフト（７）を足で踏んで，金属製折り畳み式押手（３）を根元から前に倒して折りたたむ事が出来る構造である。
これは，春になり除雪器具を物置に片付ける時は，根元から畳んだ押手は場所をとらずに大変便利な物である。又，ライトバンにも簡単に積み込む事が出来る大きさである。荷物の運搬は，金属製の後部脚部（６）を後方から足で下に踏んで，地面にスタンド状態にすると，車輪（９）が地面に密着するので，金属製折り畳み式押手（３）を若干上に上げながら運搬できる。
荷物を降ろした後は，車輪使用時の金属の後部脚部（６）が不必要になるので，切り替えペダル（１０）を足で押して，後部脚部用ストッパー（６-３）を外して，金属製後部脚部（６）を上方に上げると，伸縮調整が出来る連結棒（６−４）と連結になっているため，車輪（９）も上に傾く。
この状態で，切り替え式除雪器具兼運搬具本体を（１）の金属製の先端（２）を雪の中に差し込んで除雪が出来る。
【符号の説明】
【００１０】
（１）    車輪切り替え式除雪器具兼運搬具本体
（２）    金属製先端部
（３）    金属製折り畳み式押手
（４）    押手グリップ
（５）    切り替え用プレート
（５−２）切り替え用プレートスプリング
（６）    金属製後部脚部
（６-２） 後部脚部用シャフトスプリング
（６-３） 後部脚部用ストッパー
（６−４）伸縮調整が出来る連結棒
（７）    折り畳み用シャフト
（８）    切り替え用プレートスプリング
（９）    車輪
（１０）   切り替えペダル  
（１１）   押手下部先端
【図１】
2015218487.tif 000003
【図２】
2015218487.tif 000004
【図３】
2015218487.tif 000005
【図４】
2015218487.tif 000006
【図５】
2015218487.tif 000007
【図６】
2015218487.tif 000008
【図７】
2015218487.tif 000009
【手続補正書】
【提出日】平成26年9月24日(2014.9.24)
【手続補正１】
【補正対象書類名】特許請求の範囲
【補正対象項目名】請求項１
【補正方法】変更
【補正の内容】
【請求項１】
合成樹脂の素材からなる車輪切り替え式除雪器具兼運搬具本体を（１）の，先端部に
金属製の先端（２）を設け，更に左右側面に車輪（９）を設置し，後部の底には金属製後部脚部（６）を設置し，荷物の運搬をする時は金属製の後部脚部（６）を下にスタンド状態にして，車輪（９）も下部に下ろした状態にして行い，金属製の後部脚部（６）を後方から足で下に踏んで，地面にスタンド状態にすると，車輪（９）と金属製の後部脚部（６）は共に下方に下がって地面に密着し，又荷物を降ろした後は，車輪使用時の金属製の後部脚部（６）が不必要になるので，切り替えペダル（１０）を足で押して，後部脚部用ストッパー（６−３）を外して，後部脚部（６）を上に移動させ，金属製の後部脚部（６）と車輪（９）とは，伸縮調整が出来る連結棒（６−４）で，連結されているため，金属製の後部脚部（６）が上方に移動すると車輪（９）も上方に傾く構造であり，金属製の後部脚部（６）が上に移動している状態で，車輪（９）も上に傾いているため，除雪が出来る状態であり，荷物の運搬と除雪と双方に使用できる事を特徴とする，車輪切り替え式除雪器具兼運搬具。
【手続補正２】
【補正対象書類名】明細書
【補正対象項目名】０００５
【補正方法】変更
【補正の内容】
【０００５】
課題を解決するために本発明は，以下の構成とした。
合成樹脂の素材からなる車輪切り替え式除雪器具兼運搬具本体（１）の先端部に金属製の先端（２）を設け，更に左右側面に車輪（９）を設置し，後部の底には金属製後部脚部（６）を設置した。荷物の運搬をする時は，金属製の後部脚部（６）を下にスタンド状態にして，車輪（９）も下部に下ろした状態にして行う。
又，金属製折り畳み式押手（３）から手を放しても，車輪（９）と，金属製の後部脚
部（６）と共に地面に平行にして荷物が倒れない構造にした。
そのため，金属製の後部脚部（６）を後方から足で下に踏んで，地面にスタンド状態にすると，車輪（９）と金属製の後部脚部（６）は共に下方に下がって，地面に密着し又，荷物を降ろした後は，車輪使用時の金属製の後部脚部（６）が不必要になるので，切り替えペダル（１０）を足で押して，後部脚部用ストッパー（６−３）を外して，後部脚部（６）を上に移動させる。
金属製の後部脚部（６）と車輪（９）とは，伸縮調整が出来る連結棒（６−４）で，
連結されているため，金属製の後部脚部（６）が上方に移動すると車輪（９）も上方
に傾く構造である。
【手続補正３】
【補正対象書類名】明細書
【補正対象項目名】０００９
【補正方法】変更
【補正の内容】
【０００９】
除雪の大変さは，今まで降った雪が圧縮されて硬くなっている上に，一夜にして
４０ｃｍ〜５０ｃｍの雪が積もる事は地域に依っても異なるが，しかし，冬期には珍しくない出来事である。
そんな大雪の中を，車で荷物を運搬してきても自動車も立ち往生，台車を持ってきて
も車輪が回転せず完全に立ち往生となる。
その新雪を除去する事，圧縮された雪を合せて除去しなければならず，しかし，一旦
車輪切り替え式除雪器具兼運搬具で，荷物を運搬して，終わったら直ぐ除雪にかかれる事は，大変便利であり，雪と寒さの厳しい地方ではこの両方を同じ器具で同時に出来る事は，この上ない幸せな事である。
そんな事に使用するために，車輪切り替え式除雪器具兼運搬具を発明した。
合成樹脂の素材からなる車輪切り替え式除雪器具兼運搬具本体（１）の先端部の左右側面に車輪（９）を設置し，後部底部には金属製の後部脚部（６）を設け，荷物を運搬時に金属製折り畳み式押手（３）を放しても倒れないようにするために，車輪（９）と共に地面に密着させ荷物を倒れないようにした。
又，大きな特徴として，折りたたみ用シャフト（７）を足で踏んで，金属製折り畳み式押手（３）を根元から前に倒して折りたたむ事が出来る構造である。
これは，春になり除雪器具を物置に片付ける時は，根元から畳んだ押手は場所をとらずに大変便利な物である。又，ライトバンにも簡単に積み込む事が出来る大きさである。荷物の運搬は，金属製の後部脚部（６）を後方から足で下に踏んで，地面にスタンド状態にすると，車輪（９）が地面に密着するので，金属製折り畳み式押手（３）を若干上に上げながら運搬できる。
荷物を降ろした後は，車輪使用時の金属の後部脚部（６）が不必要になるので，切
り替えペダル（１０）を足で押して，後部脚部用ストッパー（６-３）を外して，
金属製後部脚部（６）を上方に上げると，伸縮調整が出来る連結棒（６−４）と連結
になっているため，車輪（９）も上に傾く。
この状態で，切り替え式除雪器具兼運搬具本体（１）の金属製の先端（２）を雪の中に差し込んで除雪が出来る。
【手続補正４】
【補正対象書類名】図面
【補正対象項目名】図４
【補正方法】変更
【補正の内容】
【図４】
2015218487.tif 000010
【手続補正５】
【補正対象書類名】図面
【補正対象項目名】図６
【補正方法】変更
【補正の内容】
【図６】
2015218487.tif 000011
【手続補正書】
【提出日】平成26年12月1日(2014.12.1)
【手続補正１】
【補正対象書類名】特許請求の範囲
【補正対象項目名】請求項１
【補正方法】変更
【補正の内容】
【請求項１】
合成樹脂の素材からなる車輪切り替え式除雪器具兼運搬具本体（１）の，先端部に
金属製の先端（２）を設け，更に左右側面に車輪（９）を設置し，後部の底には金属製後部脚部（６）を設置し，荷物の運搬をする時は金属製の後部脚部（６）を下にスタンド状態にして，車輪（９）も下部に下ろした状態にして行い，金属製の後部脚部（６）を後方から足で下に踏んで，地面にスタンド状態にすると，車輪（９）と金属製の後部脚部（６）は共に下方に下がって地面に密着し，又荷物を降ろした後は，車輪使用時の金属製の後部脚部（６）が不必要になるので，切り替えペダル（１０）を足で押して，後部脚部用ストッパー（６−３）を外して，後部脚部（６）を上に移動させ，金属製の後部脚部（６）と車輪（９）とは，伸縮調整が出来る連結棒（６−４）で，連結されているため，金属製の後部脚部（６）が上方に移動すると車輪（９）も上方に傾く構造であり，金属製の後部脚部（６）が上に移動している状態で，車輪（９）も上に傾いているため，除雪が出来る状態であり，荷物の運搬と除雪と双方に使用できる事を特徴とする，車輪切り替え式除雪器具兼運搬具。